(57)【要約】【課題】吹き出し用のアタッチメントが邪魔にならず、吸気効率を低下させず、且つ作動音を抑えることができる電気掃除機を提供する。【解決手段】吸気口１００と排気口８８を有し電動送風機５を内蔵する掃除機本体２と、この掃除機本体２の排気口８８を覆うアダプタ１７と、このアダプタ１７に接続されるアタッチメント１８，１９，２０とを有し、前記アダプタ１７が、前記掃除機本体２に対し着脱可能に取り付けられて前記排気口１００全体を覆う広部としての取付部９３と、前記アタッチメント１８，１９，２０を着脱可能に接続する筒状部としての受筒部９６を有する。これにより、電気掃除機１の排気を利用して電動ブロワとして使用することができる。また、排気口８８から漏れる電動送風機５の作動音量を抑制することができる。また、アダプタ１７及びアタッチメント１８，１９，２０の着脱を使用者が任意に選択することができる。【選択図】図２
2016049141.tif 000002
【特許請求の範囲】
【請求項１】
吸気口と排気口を有し電動送風機を内蔵する掃除機本体と、この掃除機本体の排気口を覆うアダプタと、このアダプタに接続されるアタッチメントとを有し、前記アダプタが、前記掃除機本体に対し着脱可能に取り付けられて前記排気口全体を覆う広部と、前記アタッチメントを着脱可能に接続する筒状部を有することを特徴とする電気掃除機。
【請求項２】
前記吸気口の内形状と前記筒状部の内形状を同一としたことを特徴とする請求項１記載の電気掃除機。
【発明の詳細な説明】
【技術分野】
【０００１】
本発明は、排気を吹き出して塵埃を吹き飛ばす機能を有する電気掃除機に関するものである。
【背景技術】
【０００２】
従来、この種の電気掃除機としては、電動ブロア（本願発明の電動送風機に相当する。）を内蔵した本体ケースに、一対の吸込みノズル及びブロアノズルを設けた携帯型掃除機が知られている（例えば、特許文献１参照。）。そして、このような携帯型掃除機は、電動ブロアを作動させて吸込みノズルから塵埃を吸い込み、ブロアノズルから風を吹き出して塵埃を吹き飛ばすように構成されている。
【先行技術文献】
【特許文献】
【０００３】
【特許文献１】特開２０００−２４５６５９号公報
【発明の概要】
【発明が解決しようとする課題】
【０００４】
しかしながら、このような電気掃除機は、吸引式電気掃除機として使用する場合、ブロアノズルが邪魔になるという問題があった。これを解決するために、単純にブロアノズルを取り外すことができるようにすると、ブロアノズルの断面積に相当する流通面積で排気しなければならないので、排気効率が低下することで吸気口からの吸引効率が低下するという問題があった。一方で、排気口の流通面積を大きくすると、電動送風機が発した作動音が漏れやすくなるため、うるさくなってしまうという別の問題が生ずる。
【０００５】
本発明は以上の問題点を解決し、吹き出し用のアタッチメントが邪魔にならず、吸気効率を低下させず、且つ作動音を抑えることができる電気掃除機を提供することを目的とする。
【課題を解決するための手段】
【０００６】
本発明の請求項１に記載の電気掃除機は、吸気口と排気口を有し電動送風機を内蔵する掃除機本体と、この掃除機本体の排気口を覆うアダプタと、このアダプタに接続されるアタッチメントとを有し、前記アダプタが、前記掃除機本体に対し着脱可能に取り付けられて前記排気口全体を覆う広部と、前記アタッチメントを着脱可能に接続する筒状部を有するものである。
【０００７】
また、本発明の請求項２に記載の電気掃除機は、請求項１において、前記吸気口の内形状と前記筒状部の内形状を同一としたものである。
【発明の効果】
【０００８】
本発明の請求項に記載の電気掃除機は、以上のように構成することにより、吸引掃除を行う場合には、前記掃除機本体のみを使用するか、又は前記掃除機本体の排気口全体を覆うように前記アダプタを取り付けて使用する。前記掃除機本体のみで使用する場合、排気効率が低下しないことで、吸気効率が低下しないので、効率よく塵埃を吸引することができる。一方、前記掃除機本体に前記アダプタのみを取り付けて使用する場合、吸引効率が落ちるものの、前記排気口から放出される作動音が前記アダプタで抑えられるため、騒音を抑えることができる。このように、吸引力を重視する場合と静粛性を重視する場合とで、前記掃除機本体のみ、或いは前記掃除機本体に前記アダプタのみを取り付けて使用することができる。そして、何れの場合でも、吹き出し用の前記アタッチメントが邪魔にならないようにすることができる。また、前記アダプタの筒状部に吹き出し用の前記アタッチメントを取り付けることで、前記電動掃除機が発生させた気流を用いて塵埃を吹き飛ばすことができる。
【０００９】
なお、前記吸気口の内形状と前記筒状部の内形状を同一とすることで前記吸気口に取り付けられる吸引掃除用のアタッチメントを、吹き出し用のアタッチメントと兼用することができる。
【図面の簡単な説明】
【００１０】
【図１】本発明の実施例１を示す電気掃除機の斜視図である。
【図２】同、アダプタを取り付けた状態の斜視図である。
【図３】同、床用ノズルを取り付けた状態の別の方向から見た斜視図である。
【図４】同、アダプタ及び延長パイプを取り付けた状態の全体断面図である。
【図５】同、集塵容器及びフィルタ組立体の分解斜視図である。
【図６】同、フィルタ組立体の一部断面図である。
【図７】同、フィルタ組立体の背面図である。
【図８】同、図７のＡ−Ａ線断面図である。
【図９】同、集塵容器の要部の斜視図であり、バヨネットの溝入口にバヨネット用突起を合わせた状態を示す。
【図１０】同、集塵容器の要部の斜視図であり、第一切欠部に第二切欠部を合わせた状態を示す。
【図１１】同、集塵容器の要部の斜視図であり、中央と左の突条部周りを図示している。
【図１２】同、集塵容器の要部の側面図であり、右突条部周りを図示している。
【図１３】同、図１２のＢ−Ｂ線拡大断面図である。
【図１４】同、電気掃除機本体の装着部の斜視図である。
【図１５】同、凸部と第一及び第二切欠き部の係合を説明する説明図であり、図１５（Ａ）は係合前、図１５（Ｂ）は係合後を示す。
【図１６】同、アダプタの底面図である。
【図１７】同、延長パイプの右側面図である。
【図１８】同、延長ホースの右側面図である。
【図１９】同、ブラシノズルの右側面図である。
【図２０】同、アダプタ及び延長パイプを取り付けた状態の左側面図である。
【図２１】同、アダプタ及び延長ホースを取り付けた状態の左側面図である。
【図２２】同、アダプタ、延長パイプ及びブラシノズルを取り付けた状態の左側面図である。
【図２３】同、アダプタ、延長ホース及びブラシノズルを取り付けた状態の左側面図である。
【発明を実施するための形態】
【００１１】
本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００１２】
図１〜図２３は実施例１を示す。１はサイクロン式電気掃除機である。この電気掃除機１は、掃除機本体２と、この掃除機本体２の前部に着脱自在に取り付けられる集塵容器３と、この集塵容器３に着脱可能に取り付けられるフィルタ組立体４と、前記掃除機本体２の後部に着脱自在に取り付けられるアダプタ１７とを備える。なお、前記フィルタ組立体４は、前記集塵容器３に対しバヨネット結合によって取り付けられ、前記アダプタ１７は、前記掃除機本体２に対しバヨネット結合によって取り付けられる。
【００１３】
前記掃除機本体２は、電動送風機５が内蔵されたケース６と、把持部７と、電源コード８とを有して構成されている。また、前記把持部７には、前記集塵容器３を着脱するための操作部９及びスイッチ操作部１０が設けられている。そして、このスイッチ操作部１０を操作することにより、前記電動送風機５が駆動する。
【００１４】
前記集塵容器３は、一端（後端）が開放し、他端（前端）が閉塞した有底筒状に形成され、略円筒形の周壁部１１と、この周壁部１１の前側を閉塞する前面部１２とを一体に備えている。なお、これらの周壁部１１及び前面部１２は、比較的硬質で透光性を有する合成樹脂により一体成型される。また、前記前面部１２には、透光性を有する飾り板１３が取り付けられている。
【００１５】
前記周壁部１１の後側には、気流を前記周壁部１１の周方向に導入する導入部１４を連通形成し、この導入部１４に、吸引経路が内部に設けられた接続筒部１５を接続すると共に、この接続筒部１５を前記周壁部１１の外周に固定している。また、前記接続筒部１５の前側部１５Ａは前後方向に向くと共に、前記接続筒部１５の後側部１５Ｂは前記集塵容器３の周方向に向いている。そして、前記接続筒部１５の前端には、空気及び塵埃を吸引する吸気口１００が形成され、この吸気口１００に略Ｔ字状の床用ノズル１６が着脱可能に設けられる。なお、図２０〜図２３に示すように、前記接続筒部１５の前方下側には、斜めに切断されたような形状の前側下部１５Ｃが形成されているが、これは、前記床用ノズル１６を取り付けずに使用する場合に塵埃等を吸引し易いようにするものである。
【００１６】
前記フィルタ組立体４は、筒状体２１と、内フィルタ体２２とを備える。前記筒状体２１は、一端（後端）が開放し、他端（前端）が閉塞した有底円筒状に形成され、略円筒形の周壁部２３と、この周壁部２３の前側を閉塞する前面部２４と、前記周壁部２３の前側に設けた返し部２５とを一体に備えている。なお、これらの周壁部２３、前面部２４及び返し部２５は、比較的硬質の合成樹脂により一体成型される。そして、前記筒状体２１の周壁部２３及び前記集塵容器３の周壁部１１は、前側に向かって径がやや縮小するように形成されている。また、前記筒状体２１の周壁部２３には、一次フィルタとして作用する多数の小孔２３Ｈが複数穿設されている。
【００１７】
更に、前記返し部２５は、前記周壁部２３から連続して徐々に径が大きくなる拡径部２５Ａと、この拡径部２５Ａから連続して形成された短円筒部２５Ｂとで構成されている。そして、前記集塵容器３内において、この集塵容器３に前記フィルタ組立体４を取り付けた際に、前記返し部２５の短円筒部２５Ｂの先端（前端）が位置する場所から前記集塵容器３の前面部１２までの空間が、塵埃貯溜部２６となる。
【００１８】
また、前記周壁部２３には、その開口縁部２７を拡大する拡大段部２８を設け、この拡大段部２８の前側より後側が一段大きくなるように形成されている。そして、前記開口縁部２７の内面には、円周方向に等間隔で複数のバヨネット用突起２９が設けられている。なお、この例では、４つのバヨネット用突起２９が設けられている。
【００１９】
前記内フィルタ体２２は、不織布等からなる筒状のフィルタ本体３１と、このフィルタ本体３１の前部開口を閉塞する蓋部３２と、前記フィルタ本体３１の後部に一体に設けたリング状の取付部３３とを備えている。なお、前記フィルタ本体３１は谷部と山部を交互に形成した蛇腹状をなし、前記蓋部３２と取付部３３は比較的硬質な合成樹脂からなる。
【００２０】
前記取付部３３は、鍔部３４の前側に、比較的短い前外筒部３５Ｓと前内筒部３５Ｕとを突設し、これら前外筒部３５Ｓと前内筒部３５Ｕとの間に、前記フィルタ本体３１の後部を接着等により固着している。なお、前記前外筒部３５Ｓと前内筒部３５Ｕは、それぞれ前記鍔部３４と同軸状に設けられている。そして、前記前内筒部３５Ｕ内には、後述する吸込筒部６４と接続する接続孔３６が設けられている。
【００２１】
前記前外筒部３５Ｓの外周には、前記バヨネット用突起２９に対応して、バヨネット用溝３７が設けられている。このバヨネット用溝３７は、前記前外筒部３５Ｓの前縁で開口する溝入口３７Ａと、この溝入口３７Ａに連通し前記前外筒部３５Ｓの外周に沿って円周方向に延設される係止溝部３７Ｂを有する。
【００２２】
そして、前記フィルタ本体３１に前記筒状体２１を被せるようにして、前記バヨネット用突起２９を前記溝入口３７Ａに挿入し、前記筒状体２１を前記係止溝部３７Ｂの延設方向に回すことにより、前記係止溝部３７Ｂに前記バヨネット用突起２９が係止する。これによって、前記筒状体２１に前記内フィルタ体２２が結合される。
【００２３】
なお、前記筒状体２１は、前側から見て、前記内フィルタ体２２に対し時計回り方向に回動させることで固定され、反時計回り方向に回動させることで取り外し可能となる。このように、バヨネット結合とは、いわゆる「抜き挿し」と「ひねり」を組み合わせて、前記筒状体２１と前記内フィルタ体２２の結合・分離を行うことができる結合構造である。
【００２４】
また、前記鍔部３４には、後側に短い後外筒部４１Ｓと後内筒部４１Ｕが突設されている。前記後外筒部４１Ｓは、前記鍔部３４の外周縁部に設けた環状壁部である。また、前記後内筒部４１Ｕは、前記前内筒部３５Ｕより大径である。そして、前記後外筒部４１Ｓの外面には、円周方向に等間隔で複数のバヨネット用突起４２が設けられている。なお、この例では４つの前記バヨネット用突起４２が設けられている。また、図８に示すように、前記後内筒部４１Ｕと前外筒部３５Ｓは、ほぼ同径である。
【００２５】
前記集塵容器３の周壁部１１における開口縁部３Ａ側の内周には、前記バヨネット用突起４２に対応して、バヨネット用溝４３が設けられている。このバヨネット用溝４３は、前記周壁部１１の開口縁部３Ａで開口する溝入口４３Ａと、この溝入口４３Ａに連通し前記周壁部１１の内周に沿って円周方向に延設される係止溝部４３Ｂとを有する。前記溝入口４３Ａは、係止溝部４３Ｂ側に前後方向の段部１４３を有すると共に、前後方向に対して反係止溝部４３Ｂ側に傾斜した傾斜段部１４３Ｋを有する。この傾斜段部１４３Ｋは、前記溝入口４３Ａが後方に向かって拡大するように傾斜し、前記バヨネット用突起４２を前記溝入口４３Ａの前側に案内する。
【００２６】
なお、前記段部１４３は集塵容器３の軸方向とほぼ平行に形成されている。また、上述したように、前記バヨネット用溝４３は、前記周壁部１１の内周に設けられているが、この周壁部１１が透光性を有する材料からなるから、一部、外側から見た図面でも、前記バヨネット用溝４３等を実線で図示している。
【００２７】
また、複数の前記係止溝部４３Ｂの少なくとも１つには、この係止溝部４３Ｂの先端側に突部４４が設けられている。なお、係止溝部４３Ｂの先端４３Ｓと前記突部４４との間隔は、前記バヨネット用突起４２の周方向の幅に対応している。また、前記周壁部１１の開口縁部３Ａ側の内周には、前記鍔部３４が当接する段部４５が形成されている。なお、前記段部４５は、前記周壁部１１の他部の内面より外周側に位置している。
【００２８】
そして、前記集塵容器３内に前記フィルタ組立体４を挿入し、前記バヨネット用突起４２を前記溝入口４３Ａに挿入すると、前記段部４５に前記鍔部３４が当接し、それ以上挿入することができなくなる。この位置で前記フィルタ組立体４を前記係止溝部４３Ｂの先端４３Ｓ側に回すことにより、前記係止溝部４３Ｂに前記バヨネット用突起４２が係止されて、前記集塵容器３に前記フィルタ組立体４が結合される。この場合、前記フィルタ組立体４を回動させると、前記バヨネット用突起４２が前記突部４４を乗り越える際、前記バヨネット用突起４２側が弾性変形してクリック感が得られるので、前記集塵容器３とフィルタ組立体４の結合を確認することができる。
【００２９】
なお、前記フィルタ組立体４は、前記開口縁部３Ａ側、即ち後側から見て、前記集塵容器３に対し、時計回り方向に回動させることで固定され、反時計回り方向に回動させることで取り外し可能となる。そして、前記バヨネット用突起４２とバヨネット用溝４３とにより、バヨネット結合機構４６を構成している。
【００３０】
前記集塵容器３の周壁部１１の開口縁部３Ａには、前記溝入口４３Ａに近接して、第一切欠部５１が設けられる。この第一切欠部５１は、前後方向の縦縁部５１Ａを周方向両側に有すると共に、両側の縦縁部５１Ａ，５１Ａの底部を連結する横縁部５１Ｂを有する。そして、前記開口縁部３Ａと縦縁部５１Ａとの間には、湾曲状の面取り部５１Ｍを設けている。また、前記後外筒部４１Ｓの開口縁部４１Ｋには、前記第一切欠部５１とほぼ同一形状の第二切欠部５２が設けられている。この第二切欠部５２は、前後方向の縦縁部５２Ａを周方向両側に有すると共に、両側の縦縁部５２Ａ，５２Ａの底部を連結する横縁部５２Ｂを有する。そして、前記開口縁部４１Ｋと縦縁部５２Ａとの間には、湾曲状の面取り部５２Ｍを設けている。
【００３１】
そして、前記バヨネット用突起４２を前記溝入口４３Ａに挿入した位置では、前記第一切欠部５１を前記後外筒部４１Ｓがほぼ塞ぎ、前記バヨネット用突起４２が係止溝部４３Ｂの先端４３Ｓと突部４４との間に係止された位置では、前記第一切欠部５１と第二切欠部５２とが重なり合う。なお、図１０に示すように、前記集塵容器３に前記フィルタ組立体４を取り付けた状態で、前記開口縁部３Ａは前記開口縁部４１Ｋより後側に位置する。また、図８等に示すように、前記取付部３３を基準にして、前記後内筒部４１Ｕの開口縁部４１Ｋ´は、前記後外筒部４１Ｓの開口縁部４１Ｋより後側に位置する。
【００３２】
前記後内筒部４１Ｕの開口縁部４１Ｋ´には、前記第二切欠部５２とほぼ同一形状の第三切欠部５３が設けられている。また、前記鍔部３４における前記後内筒部４１Ｕの内側には、当接筒部５４が設けられている。なお、この当接筒部５４は、後述する吸込筒部６４の弾性シール材６５に当接する。
【００３３】
前記取付部３３の外周には、環状の弾性シール部材５５が取り付けられている。このシール部材５５は、前記フィルタ組立体４を前記集塵容器３に挿入した際に、その外周部が前記集塵容器３の周壁部１１の内面に密着するように構成されている。
【００３４】
前記掃除機本体２の前側には、前記集塵容器３を着脱自在に取り付ける装着部６１が設けられている。この装着部６１は、底面部６２と筒状部６３とを備える。前記底面部６２の中央には、前記電動送風機５の吸い込み口である吸込筒部６４が突設され、この吸込筒部６４の上縁にリング状の弾性シール材６５を設けている。そして、前記装着部６１に前記集塵容器３を装着した状態で、前記当接筒部５４が前記弾性シール材６５に当接して前記吸込筒部６４と前記接続孔３６がシール状態で接続される。また、前記吸込筒部６４の外側に前記後内筒部４１Ｕが位置する。なお、前記吸込筒部６４の吸込口には、塵埃用のフィルタ６４Ｆが設けられている。
【００３５】
前記装着部６１の筒状部６３には、前記導入部１４及び前記接続筒部１５を収納する凹部６３Ａが設けられている。また、前記筒状部６３は、外周部６６と、この外周部６６の内面に設けた前後方向の縦リブ部６７Ｔと、外周部６６の内面に設けた周方向の横リブ部６７Ｙとを備えている。前記縦リブ部６７Ｔは、周方向に間隔を置いて複数設けられている。また、前記横リブ部６７Ｙは、前後方向に間隔を置いて複数設けられている。
【００３６】
図１４に示すように、前記筒状部６３の内周には、前記把持部７の位置に中央縦溝部７１を形成すると共に、この中央縦溝部７１の左右には、それぞれ左縦溝部７２Ｌ及び右縦溝部７２Ｒを形成している。これらの溝部７１，７２Ｌ，７２Ｒは、前記掃除機本体２側の位置決め部であって、前後方向に形成されている。一方、前記集塵容器３の周壁部１１の外周には、前記縦溝部７１，７２Ｌ，７２Ｒに前方から挿入される中央突条部７３、左突条部７４Ｌ及び右突条部７４Ｒが設けられている。そして、これら突条部７３，７４Ｌ，７４Ｒが前記集塵容器３側の位置決め部である。
【００３７】
前記中央突条部７３の先端側には、傾斜案内部７３Ａを設けている。この傾斜案内部７３Ａの基端側には、前記中央突条部７３の長さ方向に対し交差する方向で溝状をなす係止受部７３Ｂを設けている。前記中央縦溝部７１には、別体の係止部材７５を配置すると共に、この係止部材７５には、前記係止受部７３Ｂに係脱可能な略鉤形の係止部７５Ｂを一体に有している。この係止部７５Ｂの先端側には、前記傾斜案内部７３Ａが当接する傾斜案内部７５Ａが設けられている。また、前記係止部材７５は、左右方向に移動可能に設けられ、前記係止部７５Ｂが前記係止受部７３Ｂに係止するように、図１４における右方向に、付勢手段（図示せず）により付勢されている。そして、前記操作部９を図１４における左方向に押す操作をすることにより、前記係止部７５Ｂが移動して、前記係止受部７３Ｂから外れ、前記装着部６１から前記集塵容器３を取り外すことができる。
【００３８】
また、前記中央突条部７３は、１つの前記第一切欠部５１と前後方向に並んで位置している。そして、前記底面部６２には、前記掃除機本体２に前記集塵容器３を取り付けた際に、前記第一切欠部５１に対応する前記中央縦溝部７１の後方位置に、凸部８１が設けられている。この凸部８１は、前記装着部６１の外周部６６と前記吸込筒部６４とを連結するように形成されている。また、前記凸部８１は、前記縦縁部５１Ａ，５１Ａ，５２Ａ，５２Ａ間に挿入する両側の側面部８２，８２と、両側の側面部８２，８２を連結する上面部８３とを備えている。また、この上面部８３の上部中央には、凸状の湾曲面部８３Ｗが形成されている。更に、前記凸部８１の幅方向端部には、前記側面部８２，８２と上面部８３の角部に湾曲面からなる案内部８１Ｋが形成されている。この案内部８１Ｋは、前記第二切欠部５２の面取り部５２Ｍに当接可能なものである。
【００３９】
前記凸部８１は、前記底面部６２に膨出形成されており、前記凸部８１を利用して安全弁装置を構成している。具体的には、図４に示すように、前記凸部８１は弁ケース８４の一部を構成している。この弁ケース８４は、その外側の開閉口８５が前記掃除機本体２の外部に連通すると共に、内側に通気孔８６を設けている。また、この通気孔８６は、前記電動送風機５の吸込筒部６４の側面に連通している。そして、前記弁ケース８４内に前記開閉口８５を開閉する弁体８７を設けている。この弁体８７は、付勢手段（図示せず）により、前記開閉口８５に当接してこの開閉口８５を塞ぐ方向に付勢されている。
【００４０】
そして、前記電動送風機５の駆動中に、前記ノズル１６等が詰まって前記吸込筒部６４から外気を吸引できなくなり、前記掃除機本体２のケース６内が所定値以下の負圧になると、前記弁体８７が図４中下方に移動して前記開閉口８５が開き、外気を導入する。このように動作することで、前記電動送風機５に負荷が掛かることを防止できる。なお、前記掃除機本体２のケース６の後部には、排気口８８が設けられている。
【００４１】
前記ケース６の後方部は、前記排気口８８を覆うように、前記アダプタ１７が着脱可能に取り付けられるようになっている。前記排気口８８の外周部分に形成された外周面部９０には、後方に立設したバヨネット基部９１が３箇所形成されており、各バヨネット基部９１には、バヨネット用溝９２が設けられている。前記バヨネット用溝９２は、前記バヨネット基部９１の後方に開口した溝入口９２Ａと、この溝入口９２Ａに連通し前記バヨネット基部９１の外周に沿って円周方向に延設される係止溝部９２Ｂを有する。
【００４２】
前記アダプタ１７は、前記ケース６と略同径に形成された円筒状の広部である取付部９３と、この取付部９３から徐々に径小となっているテーパ部９４と、このテーパ部９４に連続した段部９５と、この段部９５から突出した円筒状の筒状部としての受筒部９６とから構成されており、両端が開口しているため内部を空気が流れるようになっている。前記受筒部９６の直径は、前記取付部９３の直径の１／３程度に形成されているため、前記排気口８８から排出される空気が前記取付部９３に集中して流入し、空気の流速を上げることができるようになっている。また、前記アダプタ１７は、比較的硬質な合成樹脂で形成されている。
【００４３】
図１６に示すように、前記取付部９３の内面には、円周方向に等間隔で３箇所のバヨネット用突起９７が設けられている。前記バヨネット用突起９７は、前記バヨネット基部９１に形成された前記バヨネット用溝９２に対応した位置に配設されている。また、前記取付部９３の内面であって隣接する前記バヨネット用突起９７の間には、前記取付部９３の内径方向に突出した薄板状の補強リブ９８が３箇所形成されている。
【００４４】
前記アダプタ１７を前記ケース６に取り付けるには、前記バヨネット用突起９７を前記溝入口９２Ａに挿入し、前記アダプタ１７を前記係止溝部９２Ｂの延設方向に回す。これにより、係止溝部９２Ｂに前記バヨネット用突起９７が係止することで、前記ケース６に前記アダプタ１７が結合される。なお、前記アダプタ１７は、後側から見て、前記ケース６に対し時計回り方向に回動させることで固定され、反時計回り方向に回動させることで取り外し可能となる。
【００４５】
前記受筒部９６の外周面には、アタッチメントとしての延長パイプ１８、延長ホース１９及びブラシノズル２０（以下、各アタッチメント１８，１９，２０という。）を固定する略楕円形状のロックボタン３０が設けられている。前記ロックボタン３０は、前記受筒部９６の外周面に立設された略楕円形状のボタン収納部３８内に配置され、このボタン収納部３８に軸部３９によって回動自在に軸支されている。
【００４６】
前記ロックボタン３０の裏面には、前記各アタッチメント１８，１９，２０に係合する係合突起４０が形成されると共に、コイルバネ４７が取り付けられており、このコイルバネ４７により前記ロックボタン３０の前記係合突起４０が常時ロック状態方向に付勢されている。なお、コイルバネ４７は、前記ロックボタン３０をロック状態方向に付勢可能なものであれば、板バネ等を用いてもよい。以下、前記ロックボタン３０、前記ボタン収納部３８、前記軸部３９、前記係合突起４０及び前記コイルバネ４７から構成されるユニットを固定ボタンユニット４８という。また、前記受筒部９６の開口には、後述する前記各アタッチメント１８，１９，２０に形成された位置決め突起５７Ａ，５７Ｂ，５７Ｃが当接する位置決め凹部７９が形成されている。
【００４７】
前記延長パイプ１８は、前記受筒部９６に挿入する挿入筒部４９Ａと、中筒部５０と、受筒部９６Ａとから構成され、全体が比較的硬質な合成樹脂により円筒状に形成されている。前記挿入筒部４９Ａの外周面には、前記係合突起４０が係合する係合溝５６Ａが形成されている。また、前記挿入筒部４９Ａの外周面であって前記中筒部５０側端部分には、前記位置決め突起５７Ａが形成されている。前記受筒部９６Ａには、前記固定ボタンユニット４８と同一の形状及び機能を有する固定ボタンユニット４８Ａが設けられており、前記受筒部９６Ａの開口には前記位置決め凹部７９と同形状の位置決め凹部７９Ａが形成されている。そのため、前記受筒部９６Ａに前記延長ホース１９及び前記ブラシノズル２０を取り付けることができる。なお、前記位置決め凹部７９Ａは、前記受筒部９６Ａに設けられた前記固定ボタンユニット４８Ａと円周方向において同位置に形成されている。
【００４８】
前記延長ホース１９は、前記受筒部９６に挿入する挿入筒部４９Ｂと、第１接続部５８と、蛇腹状のホース部５９と、第２接続部６０と、使用者が把持する把持部６８と、受筒部９６Ｂとから構成されている。前記ホース部５９は、可撓性素材により形成されており、伸縮・折り曲げ自在となっている。また、前記挿入筒部４９Ｂ、前記第１接続部５８、第２接続部６０及び前記把持部６８は何れも比較的硬質な合成樹脂により円筒状に形成されている。前記蛇腹部５９は、前記第１接続部５８を介して前記挿入筒部４９Ｂと接続されると共に、前記第２接続部６０を介して前記把持部６８と接続されている。また、前記把持部６８は、前記受筒部９６Ｂと一体に形成されている。前記挿入筒部４９Ｂの外周面には、前記係合突起４０が係合する係合溝５６Ｂが形成されている。また、前記挿入筒部４９Ｂの外周面であって前記第１接続部５８側端部分には、前記位置決め突起５７Ｂが形成されている。また、前記受筒部９６Ｂには前記固定ボタンユニット４８と同一の形状及び機能を有する固定ボタンユニット４８Ｂが設けられており、前記受筒部９６Ｂの開口には前記位置決め凹部７９と同形状の位置決め凹部（図示せず）が形成されている。そのため、前記受筒部９６Ｂに前記延長パイプ１８及び前記ブラシノズル２０を取り付けることができる。なお、前記受筒部９６Ｂの開口に形成された前記位置決め凹部は、前記受筒部９６Ｂに設けられた前記固定ボタンユニット４８Ｂと円周方向において同位置に形成されている。
【００４９】
前記ブラシノズル２０は、挿入筒部４９Ｃと、ノズル部６９と、ブラシ部７０とから構成されている。なお、前記挿入筒部４９Ｃとノズル部６９は、一体に形成されている。前記挿入筒部４９Ｃは、断面が円筒状に形成され、前記ノズル部６９は、断面が縦長の長方形状に形成されている。また、前記ノズル部６９の先端開口部７６は、側面視略斜めに形成されている。また、前記ブラシ部７０は、前記ノズル部６９に摺動自在に取り付けてあり、前記ブラシ部７０の一側面に形成された係止孔７７が前記ノズル部６９の一側面に形成された係止突起７８に係止されることにより、前記ブラシ部７０を前記ノズル部６９の先端側で固定することができる。前記挿入筒部４９Ｃの外周面には、前記係合突起４０が係合する係合溝５６Ｃが形成されている。また、前記挿入筒部４９Ｂの外周面であって前記ノズル部６９側部分には、前記位置決め突起５７Ｃが形成されている。
【００５０】
次に、前記各アタッチメント１８，１９，２０の前記アダプタ１７への着脱について説明する。前記ロックボタン３０は、コイルバネ４７によってロック状態方向に付勢されているため、前記係合突起４０は、前記受筒部９６に形成された突起貫通孔８９を外側から内側に向かって貫通した状態となっている。そして、前記各アタッチメント１８，１９，２０の前記各挿入筒部４９Ａ，４９Ｂ，４９Ｃを前記受筒部９６に挿入すると、これらの挿入筒部４９Ａ，４９Ｂ，４９Ｃが前記係合突起４０に当接し、前記コイルバネ４７の付勢力に逆らって前記ロックボタン３０を回動させる。そして、前記各挿入筒部４９Ａ，４９Ｂ，４９Ｃを前記受筒部９６にさらに押し込むと、前記各挿入筒部４９Ａ，４９Ｂ，４９Ｃの外周面に形成された前記各係合溝５６Ａ，５６Ｂ，５６Ｃに前記係合突起４０が係合し、前記各アタッチメント１８，１９，２０が前記受筒部９６に固定される。なお、前記各係合溝５６Ａ，５６Ｂ，５６Ｃは、前記各挿入筒部４９Ａ，４９Ｂ，４９Ｃの外周面に全周にわたって形成されている。
【００５１】
また、前記挿入筒部４９Ａ，４９Ｂ，４９Ｃの外周面にはそれぞれ位置決め突起５７Ａ，５７Ｂ，５７Ｃが形成されており、前記各アタッチメント１８，１９，２０が前記受筒部９６に固定された際に、これらの位置決め突起５７Ａ，５７Ｂ，５７Ｃが前記受筒部９６の開口に形成された位置決め凹部７９に当接するようになっている。前記位置決め凹部７９は、前記受筒部９６の開口側の一部を径方向外側に矩形に突出して形成されており、前記各位置決め突起５７Ａ，５７Ｂ，５７Ｃが収納されて当接する大きさに形成されている。従って、前記各位置決め突起５７Ａ，５７Ｂ，５７Ｃと前記位置決め凹部７９とが当接しない位置で前記各アタッチメント１８，１９，２０を前記受筒部９６に挿入しようとすると、前記各位置決め突起５７Ａ，５７Ｂ，５７Ｃが前記受筒部９６の開口端部８０に当接し、前記各アタッチメント１８，１９，２０を前記受筒部９６に十分挿入することができず、前記係合突起４０が前記各係合溝５６Ａ，５６Ｂ，５６Ｃに係合されないため、前記各アタッチメント１８，１９，２０を前記受筒部９６に固定することができないようになっている。なお、前記位置決め凹部７９は、前記受筒部９６の円周方向の前記固定ボタンユニット４８と同位置に形成されている。
【００５２】
前記各アタッチメント１８，１９，２０を前記アダプタ１７から取り外すには、前記ロックボタン３０を押圧して回動させ、前記係合突起４０と前記各係合溝５６Ａ，５６Ｂ，５６Ｃとの係合を解除して、前記各アタッチメント１８，１９，２０を前記受筒部９６から引き抜けばよい。
【００５３】
なお、前記床用ノズル１６の筒部４９も前記各アタッチメント１８，１９，２０の各挿入筒部４９Ａ，４９Ｂ，４９Ｃと同形状の係合溝（図示せず）及び位置決め突起（図示せず）が形成されており、前記床用ノズル１６を前記アダプタ１７の前記受筒部９６に着脱することができるようになっている。
【００５４】
また、前記接続筒部１５の前記前側部１５Ａの内径は、前記受筒部９６の内径と同径に形成され、前記前側部１５Ａの外周面には前記固定ボタンユニット４８と同一の形状及び機能を有する固定ボタンユニット４８Ｃが設けられている。また、前記前側部１５Ａの開口には前記位置決め凹部７９と同形状の位置決め凹部７９Ｂが形成されている。そのため、前記前側部１５Ａに前記床用ノズル１６、前記延長パイプ１８、前記延長ホース１９及び前記ブラシノズル２０を着脱することができる。なお、前記位置決め凹部７９Ｂは、前記前側部１５Ａの上方部分に形成されている。
【００５５】
なお、前記各固定ボタンユニット４８，４８Ａ，４８Ｂは、前記アダプタ１７、前記延長パイプ１８、前記延長ホース１９を取り付けた状態で、上側に配置されるようになっているが、前記固定ボタンユニット４８Ｃは、前記電気掃除機１の正面視左側面に配置されている。
【００５６】
このように、前記電気掃除機１は、前記床用ノズル１６及びアタッチメントである前記延長パイプ１８、前記延長ホース１９、前記ブラシノズル２０を吸引用及びブロワ用として使用することができるようになっている。
【００５７】
次に、前記集塵容器３の着脱方法を説明する。前記フィルタ組立体４を組み立てるには、前記内フィルタ体２２に前記筒状体２１を被せるようにして、前記バヨネット用突起２９を溝入口３７Ａに挿入し、前記筒状体２１を係止溝部３７Ｂの延設方向に回す。これにより、前記係止溝部３７Ｂに前記バヨネット用突起２９が係合して、前記筒状体２１に前記内フィルタ体２２が結合され、前記フィルタ組立体４が組み立てられる。
【００５８】
次に、前記集塵容器３に前記フィルタ組立体４を取り付けるには、前記集塵容器３内に前記フィルタ組立体４を挿入し、前記段部４５に前記鍔部３４が当接するまで前記バヨネット用突起４２を前記溝入口４３Ａに挿入し、前記フィルタ組立体４を前記係止溝部４３Ｂの先端４３Ｓ側に回す。これにより、前記係止溝部４３Ｂに前記バヨネット用突起４２が係合して、前記集塵容器３に前記フィルタ組立体４が結合される。
【００５９】
このように、前記フィルタ組立体４を集塵容器３に正しく取り付け、前記集塵容器３を前記装着部６１に装着する場合は、前記掃除機本体２の縦溝部７１，７２Ｌ，７２Ｒに前記集塵容器３の突条部７３，７４Ｌ，７４Ｒを合わせて前記筒状部６３内に前記集塵容器３を前後方向に沿って挿入する。この際、前記中央縦溝部７１の係止部材７５の傾斜案内部７５Ａに、前記中央突条部７３の傾斜案内部７３Ａが当接し、前記中央突条部７３に押されて係止部材７５が非係止位置に移動し、前記傾斜案内部７３Ａが通過した後、前記係止部７５Ｂが係止受部７３Ｂと係合する。この位置で、前記第一及び第二切欠部５１，５２に前記凸部８１が入る。
【００６０】
一方、前記集塵容器３とフィルタ組立体４とのバヨネット結合が不十分で、前記第一切欠部５１に前記後外筒部４１Ｓが重なり合っている場合は、前記係止部７５Ｂが前記係止受部７３Ｂに係合する前に、前記後外筒部４１Ｓが前記凸部８１に当接する。このため、前記係止受部７３Ｂに前記係止部７５Ｂが係合せず、前記装着部６１に前記集塵容器３を取り付けることができない。これにより、使用者は前記集塵容器３を取り外し、バヨネット結合を確認してから再度前記集塵容器３を取り付けることとなる。即ち、前記集塵容器３とフィルタ組立体４とを不完全な組み立て状態で、前記掃除機本体２に取り付けることを防止できる。
【００６１】
また、図１５（Ａ）に示すように、前記第一切欠部５１に前記後外筒部４１Ｓが部分的に重なり合っている場合、前記後外筒部４１Ｓの面取り部５２Ｍが、前記凸部８１の案内部８１Ｋに当接すると、前記集塵容器３を押し込む力により、前記フィルタ組立体４が回転し、前記第一及び第二切欠部５１，５２が位置合わせされる。これによって、前記装着部６１に前記集塵容器３を組み込むことができる。
【００６２】
更に、万一、前記フィルタ組立体４を組み込まずに前記集塵容器３のみを前記装着部６１に装着した場合、前記集塵容器３の開口縁部３Ａに第一切欠部５１を設けたから、前記筒状部６３の内側と前記集塵容器３の外周との間の隙間を通って、前記第一切欠部５１，５１から前記集塵容器３内に空気が入り込む。このため、前記ノズル１６から塵埃を含む気流を吸い込まず、塵埃を再び外気に撒き散らしたり、前記電動送風機５の効率を低下させたりすることがない。
【００６３】
次に、前記電気掃除機１の使用方法について説明する。まず、前記電気掃除機１を使用して吸引掃除をする場合には、前記接続筒部１５に前記床用ノズル１６を取り付け、前記装着部６１に前記集塵容器３を正しく装着した状態で、前記スイッチ操作部１０を操作して前記電動送風機５を駆動する。前記電動送風機５を駆動すると、前記ノズル１６から吸引された塵埃を含む空気が、前記集塵容器３の周方向に接続した前記接続筒部１５から前記集塵容器３に流れ込み、この集塵容器３内で渦流が形成され、この渦流に含まれる粗い塵埃が遠心分離され、前記周壁部１１と返し部２５との間から前記塵埃貯溜部２６に移動すると共に、砂等の粗くて重い塵埃が分離された気流は、前記小孔２３Ｈから前記筒状体２１内に流入する。なお、気流が前記返し部２５を乗り越える際に、この気流に含まれる塵埃の多くは、前記返し部２５によって下方に返されることになる。そして、気流に含まれる軽い塵埃は、前記筒状体２１内に流入する際に、一次フィルタとして作用する前記小孔２３Ｈ、或いは前記フィルタ本体３１によって捕捉される。このようにして、前記フィルタ本体３１によって細かい塵埃が分離された清浄な気流は、前記フィルタ６４Ｆを設けた吸込筒部６４を通過して、前記電動送風機５に至る。そして、前記吸込筒部６４から前記ケース６に吸い込まれた空気は、後部の前記排気口８８から排出される。なお、吸引掃除をする場合には、前記床用ノズル１６に代えて、吸引掃除をする場所に合わせて選択した前記各アタッチメント１８，１９，２０を前記接続筒部１５に取り付けて使用することもでき、また、前記接続筒部１５に何も取り付けない状態でも使用することができる。
【００６４】
更に、吸引掃除をする場合に、前記アダプタ１７を前記掃除機本体２に取り付けることで、前記排気口８８全体が覆われ、前記電動送風機５の作動音が前記排気口８８から漏れるのを抑制し、前記電気掃除機１使用時の騒音を緩和することができる。
【００６５】
また、前記電気掃除機１を電動ブロワとして使用する場合には、前記掃除機本体２に前記アダプタ１７を取り付け、前記接続筒部１５には何も取り付けない状態で前記スイッチ操作部１０を操作して、前記電動送風機５を駆動する。前記電動送風機５を駆動すると、前記吸気口１００から吸入された空気が前記排気口８８から排出され、排出された空気が前記アダプタ１７内で前記受筒部９６に集中して流入することにより、流速が上がった状態で前記受筒部９６から前記アダプタ１７の外部へ排出される。この排出された空気により塵埃を吹き飛ばすことができる。
【００６６】
以上のように本発明は、吸気口１００と排気口８８を有し電動送風機５を内蔵する掃除機本体２と、この掃除機本体２の排気口８８を覆うアダプタ１７と、このアダプタ１７に接続されるアタッチメント１８，１９，２０とを有し、前記アダプタ１７が、前記掃除機本体２に対し着脱可能に取り付けられて前記排気口１００全体を覆う広部としての取付部９３と、前記アタッチメント１８，１９，２０を着脱可能に接続する筒状部としての受筒部９６を有するように構成されている。
【００６７】
この場合、前記排気口８８を覆う前記アダプタ１７によって前記排気口８８から排出される空気の流速を上げ、電気掃除機１の排気を利用して電動ブロワとして使用することができる。また、前記アダプタ１７によって前記排気口８８が覆われるため、この排気口８８から漏れる電動送風機５の作動音量を抑制することができる。
【００６８】
更に、前記アダプタ１７及び前記各アタッチメント１８，１９，２０の着脱を使用者が任意に選択することができる。
【００６９】
また、前記吸気口１００の内形状と前記筒状部としての受筒部９６の内形状を同一とした構成としている。
【００７０】
この場合、前記吸気口１００に取り付けられる吸引掃除用の前記各アタッチメント１８，１９，２０を、吹き出し用の前記各アタッチメント１８，１９，２０と兼用することができる。
【００７１】
なお、本発明は以上の実施例に限定されるものではなく、発明の要旨の範囲内で種々の変形実施が可能である。例えば、アダプタ１７の形状は上記実施例の形状に限られず、排気口８８から排出される空気を集中させて空気の流速を上げることができるものであれば他の形状であってもよい。また、アダプタ１７による騒音緩和の効果を向上させるため、アダプタ１７を吸音素材や遮音素材で形成してもよい。また、アタッチメントとして、延長パイプ１８、延長ホース１９及びブラシノズル２０以外のものを用いてもよい。
【符号の説明】
【００７２】
１  電気掃除機
２  掃除機本体
５  電動送風機
１７  アダプタ
１８  延長パイプ（アタッチメント）
１９  延長ホース（アタッチメント）
２０  ブラシノズル（アタッチメント）
８８  排気口
９３  取付部（広部）
９６  受筒部（筒状部）
１００  吸気口
【図１】
2016049141.tif 000003
【図２】
2016049141.tif 000004
【図３】
2016049141.tif 000005
【図４】
2016049141.tif 000006
【図５】
2016049141.tif 000007
【図６】
2016049141.tif 000008
【図７】
2016049141.tif 000009
【図８】
2016049141.tif 000010
【図９】
2016049141.tif 000011
【図１０】
2016049141.tif 000012
【図１１】
2016049141.tif 000013
【図１２】
2016049141.tif 000014
【図１３】
2016049141.tif 000015
【図１４】
2016049141.tif 000016
【図１５】
2016049141.tif 000017
【図１６】
2016049141.tif 000018
【図１７】
2016049141.tif 000019
【図１８】
2016049141.tif 000020
【図１９】
2016049141.tif 000021
【図２０】
2016049141.tif 000022
【図２１】
2016049141.tif 000023
【図２２】
2016049141.tif 000024
【図２３】
2016049141.tif 000025